【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
1次キャリアおよび2次キャリアにおけるアップリンク送信のために構成された通信インターフェースと、
記憶媒体と、
前記通信インターフェースおよび前記記憶媒体に結合された処理回路であって、
前記通信インターフェースを介してデータを送信するための第1のモードまたは第2のモードのうちの1つで動作するための命令を含むインジケータを前記通信インターフェースを介して受信することと、
前記インジケータが、前記第1のモードで動作するよう命令するとき、前記第1のモードで動作することであって、前記第1のモードでの動作が、前記通信インターフェースを介して前記データの最初の部分を送信するための前記2次キャリアの選択と、前記通信インターフェースを介して前記データの残りの任意の部分を送信するための前記1次キャリアの選択とを含む、動作することと、
前記インジケータが、前記第2のモードで動作するよう命令するとき、前記第2のモードで動作することであって、前記第2のモードでの動作が、前記データのサイズが所定のしきい値よりも小さいとき、前記通信インターフェースを介して前記データを送信するための前記1次キャリアの選択、および、前記データの前記サイズが前記所定のしきい値以上のとき、前記通信インターフェースを介して前記データの最初の部分を送信するための前記2次キャリアと、前記通信インターフェースを介して前記データの残りの任意の部分を送信するための前記1次キャリアとの選択を含む、動作することと
を行うように構成された、処理回路と
を含む、ワイヤレスユーザ機器。
【請求項２】
前記第2のモードで動作するように構成された前記処理回路が、
前記データの前記サイズが前記所定のしきい値以上のとき、前記通信インターフェースを介して、前記ワイヤレスユーザ機器が前記2次キャリアで前記データの前記最初の部分を送信し、前記1次キャリアで前記データの残りの任意の部分を送信するという指示を送信することであって、前記指示が、前記データの送信前に、前記1次キャリアで第1の送信時間間隔で送信される、送信することと、
前記通信インターフェースを介して前記送信された指示の確認応答を受信することと
を行うように構成される前記処理回路をさらに含む、請求項1に記載のワイヤレスユーザ機器。
【請求項３】
前記第2のモードで動作するように構成された前記処理回路が、
前記データの前記サイズが前記所定のしきい値以上のとき、前記1次キャリアで前記通信インターフェースを介してスケジューリングされていないデータを送信する
ように構成される前記処理回路をさらに含む、請求項1に記載のワイヤレスユーザ機器。
【請求項４】
前記処理回路が、
前記所定のしきい値の値を示すメッセージを前記通信インターフェースを介して受信するようにさらに構成される、請求項1に記載のワイヤレスユーザ機器。
【請求項５】
前記所定のしきい値が、バッファ内の前記データのサイズに関連するバッファ占有率しきい値である、請求項1に記載のワイヤレスユーザ機器。
【請求項６】
前記第1のモードで動作するための命令を含む前記インジケータが、前記所定のしきい値を値0に設定するための命令を含むインジケータを含む、請求項1に記載のワイヤレスユーザ機器。
【請求項７】
前記第1のモードで動作するための命令を含む前記インジケータが、前記所定のしきい値を0よりも大きい値に設定するための命令を含むインジケータを含む、請求項1に記載のワイヤレスユーザ機器。
【請求項８】
ワイヤレスユーザ機器上で動作可能な方法であって、
データを送信するための第1のモードまたは第2のモードのうちの1つで動作するための命令を含むインジケータを受信するステップと、
前記インジケータが、前記第1のモードで動作するよう命令するとき、前記第1のモードで動作するステップであって、前記第1のモードでの動作が、所定の量の前記データを送信するための2次キャリアと、残りの任意の量の前記データを送信するための1次キャリアとの選択を含む、ステップと、
前記インジケータが、前記第2のモードで動作するよう命令するとき、前記第2のモードで動作するステップであって、前記第2のモードでの動作が、前記データのサイズが所定のしきい値よりも小さいとき、前記データを送信するための前記1次キャリアの選択、および、前記データの前記サイズが前記所定のしきい値以上のとき、所定の量の前記データを送信するための前記2次キャリアと、残りの任意の量の前記データを送信するための前記1次キャリアとの選択を含む、ステップと
を含む、方法。
【請求項９】
前記第2のモードで動作するステップが、
前記2次キャリアで前記所定の量のデータが送信され、前記1次キャリアで残りの任意のデータが送信されるアップリンクスケジューリングをネットワークに通知するためのインジケータを送信するステップであって、前記インジケータが、前記データが送信される前に送信される、ステップと、
前記送信されたインジケータの確認応答を前記ネットワークから受信するステップと
をさらに含む、請求項8に記載の方法。
【請求項１０】
前記第2のモードで動作するステップが、
バッファ内のデータのサイズが前記所定のしきい値よりも大きいかまたは小さいかを判定するステップ
を含む、請求項8に記載の方法。
【請求項１１】
前記データの前記サイズが前記所定のしきい値以上のとき、かつ前記データがスケジューリングされていないデータであるとき、前記1次キャリアで前記データを送信するステップ
をさらに含む、請求項8に記載の方法。
【請求項１２】
前記第2のモードで動作するステップが、前記所定のしきい値の値を示すメッセージを受信するステップ
をさらに含む、請求項8に記載の方法。
【請求項１３】
前記第1のモードで動作するための命令を含む前記インジケータを受信するステップが、
前記所定のしきい値を値0に設定するための命令を含む前記インジケータを受信するステップを含む、請求項8に記載の方法。
【請求項１４】
前記第2のモードで動作するための命令を含む前記インジケータを受信するステップが、
前記所定のしきい値を0よりも大きい値に設定するための命令を含む前記インジケータを受信するステップを含む、請求項8に記載の方法。
【請求項１５】
データを送信するための第1のモードまたは第2のモードのうちの1つで動作するための命令を含むインジケータを受信するための手段と、
前記インジケータが、前記第1のモードで動作するよう命令するとき、前記第1のモードで動作するための手段であって、前記第1のモードでの動作が、所定の量の前記データを送信するための2次キャリアと、残りの任意の量の前記データを送信するための1次キャリアとの選択を含む、手段と、
前記インジケータが、前記第2のモードで動作するよう命令するとき、前記第2のモードで動作するための手段であって、前記第2のモードでの動作が、前記データのサイズが所定のしきい値よりも小さいとき、前記データを送信するための前記1次キャリアの選択、および、前記データの前記サイズが前記所定のしきい値以上のとき、所定の量の前記データを送信するための前記2次キャリアと、残りの任意の量の前記データを送信するための前記1次キャリアとの選択を含む、手段と
を含む、ワイヤレスユーザ機器。
【請求項１６】
前記第2のモードで動作するための手段が、
前記2次キャリアで前記所定の量の前記データが送信され、前記1次キャリアで残りの任意の量の前記データが送信されるアップリンクスケジューリングをネットワークに通知するためのインジケータを送信するための手段であって、前記データが送信される前に前記インジケータが送信される、手段と、
前記送信されたインジケータの確認応答を前記ネットワークから受信するための手段であって、前記データが送信される前に前記確認応答が受信される、手段と
をさらに含む、請求項15に記載のワイヤレスユーザ機器。
【請求項１７】
前記データの前記サイズが前記所定のしきい値以上のとき、かつ前記データがスケジューリングされていないデータであるとき、前記1次キャリアで前記データを送信するための手段
をさらに含む、請求項15に記載のワイヤレスユーザ機器。
【請求項１８】
前記所定のしきい値の値を示すメッセージを受信するための手段
をさらに含む、請求項15に記載のワイヤレスユーザ機器。
【請求項１９】
前記所定のしきい値が、バッファ内の前記データのサイズに関連するバッファ占有率しきい値である、請求項15に記載のワイヤレスユーザ機器。
【請求項２０】
前記第1のモードで動作するための命令を含む前記インジケータを受信することが、前記所定のしきい値を値0に設定するための命令を含む前記インジケータを受信することを含む、請求項15に記載のワイヤレスユーザ機器。
【請求項２１】
前記第2のモードで動作するための命令を含む前記インジケータを受信することが、前記所定のしきい値を0よりも大きい値に設定するための命令を含む前記インジケータを受信することを含む、請求項15に記載のワイヤレスユーザ機器。
【請求項２２】
処理回路に、
通信インターフェースを介してデータを送信するための第1のモードまたは第2のモードのうちの1つで動作するための命令を含むインジケータを受信することと、
前記インジケータが、前記第1のモードで動作するよう命令するとき、前記第1のモードで動作することであって、前記第1のモードでの動作が、前記通信インターフェースを介して前記データの最初の部分を送信するための2次キャリアの選択と、前記通信インターフェースを介して前記データの残りの任意の部分を送信するための1次キャリアの選択とを含む、動作することと、
前記インジケータが、前記第2のモードで動作するよう命令するとき、前記第2のモードで動作することであって、前記第2のモードでの動作が、前記データのサイズが所定のしきい値よりも小さいとき、前記データを送信するための前記1次キャリアの選択、および、前記データの前記サイズが前記所定のしきい値以上のとき、前記データの最初の部分を送信するための前記2次キャリアと、前記データの残りの任意の部分を送信するための前記1次キャリアとの選択を含む、動作することと
を行わせるためのプロセッサ実行可能プログラミングを記憶するプロセッサ可読記憶媒体。
【請求項２３】
前記処理回路に前記第2のモードで動作することを行わせるための前記プロセッサ実行可能プログラミングが、前記処理回路に、
ワイヤレスユーザ機器が前記2次キャリアで前記データの前記最初の部分を送信し、前記1次キャリアで前記データの残りの任意の部分を送信するという指示を前記1次キャリアで第1の送信時間間隔で送信することとであって、前記指示が、前記データが送信される前に送信される、送信することと、
前記送信された指示の確認応答を受信することと
を行わせるためのプロセッサ実行可能プログラミングをさらに含む、請求項22に記載のプロセッサ可読記憶媒体。
【請求項２４】
前記処理回路に、
前記データの前記サイズが前記所定のしきい値以上のとき、前記1次キャリアでスケジューリングされていないデータを送信させる
ためのプロセッサ実行可能プログラミングをさらに含む、請求項22に記載のプロセッサ可読記憶媒体。
【請求項２５】
前記処理回路に、
前記所定のしきい値の値を示すメッセージを受信させる
ためのプロセッサ実行可能プログラミングをさらに含む、請求項22に記載のプロセッサ可読記憶媒体。
【請求項２６】
前記所定のしきい値が、バッファ内の前記データのサイズに関連するバッファ占有率しきい値である、請求項22に記載のプロセッサ可読記憶媒体。
【請求項２７】
前記第1のモードで動作するための命令を含む前記インジケータが、バッファ占有率しきい値を値0に設定するための命令を含むインジケータを含む、請求項22に記載のプロセッサ可読記憶媒体。
【請求項２８】
前記第2のモードで動作するための命令を含む前記インジケータが、バッファ占有率しきい値を0よりも大きい値に設定するための命令を含むインジケータを含む、請求項22に記載のプロセッサ可読記憶媒体。